(57)【特許請求の範囲】
【請求項１】
精米機側へ供給する玄米を溜める下すぼまり形状の容器内に配設され、玄米に混入している夾雑物を除去する精米設備の夾雑物除去装置であって、金属製で大形の複数枚の板状体と、これらの板状体間に挟装された小形の磁石とが結合され、板状体には、複数の貫通孔が形成された精米設備の夾雑物除去装置。
【請求項２】
精米機側へ供給する玄米を溜める下すぼまり形状の容器内に配設され、玄米に混入している夾雑物を除去する精米設備の夾雑物除去装置であって、両端に配置される金属製の２枚の大形板状体と、これらの大形板状体の間において所定間隔をあけて配置される金属製で１枚または複数枚の中形板状体と、これらの板状体間に挟装された小形の磁石と、これらの板状体と磁石とを結合する結合部材とを備え、大形板状体には複数の貫通孔を形成し、大形板状体、中形板状体および磁石を、これらの各厚み寸法部分が横方向に並んでこれらが略同軸心となるように連結して配置した精米設備の夾雑物除去装置。
【請求項３】
板状体は円形である請求項１または２に記載の精米設備の夾雑物除去装置。
【発明の詳細な説明】
【０００１】
【発明の属する技術分野】
本発明は、玄米に混入している夾雑物を除去する精米設備の夾雑物除去装置に関するものである。
【０００２】
【従来の技術】
コインや紙幣などの各種貨幣を投入することにより自動的に精米作業を行ういわゆるコイン式の精米設備は知られている。このようなコイン式の精米設備などにおいては、精米処理を行わせたい玄米の中に、コインやねじなどの金属部品（あるいは一部が金属であるもの）からなる夾雑物が混入していることがある。夾雑物が混入した状態のままで玄米が精米機に投入されると、精米機の損傷や精米不良などを招いてしまうため、精米機へ供給する玄米を溜める精米タンクに前述した夾雑物を除去する装置を組み込むことが提案されている。
【０００３】
この夾雑物除去装置としては、図４〜図７に示すものが考えられている。精米タンク１は、下すぼまりの略四角錐ホッパ形状とされ、前面は利用客が玄米の供給状態を外部から観察しやすいように、垂直面に透明板２を組み込んだ構成としている。精米タンク１のすぐ下方には精米機３が配設され、精米タンク１の後傾斜面には、精米タンク１における玄米の貯溜状態（すなわち精米機への玄米の供給状態）を静電容量変化などに基づき調べるレベル計４が取付けられ、例えばレベル計４により検知した玄米の供給状態に対応して初期精米動作、通常精米動作、終期精米動作などの精米機３の各部の制御動作や終了判定動作を行っている。
【０００４】
夾雑物除去装置１０は、金属製で円形かつ大形の複数枚（図６、図７においては５枚）の板状体１１と、これらの板状体１１間に挟装された環状で小形の複数の磁石１２と、これらの板状体１１と磁石１２とを結合する連結ボルト１３および連結ナット１４とからなり、板状体１１と磁石１２との各厚み寸法部分が横方向に並ぶように連結ボルト１３および連結ナット１４で連結されている。そして、板状体１１における外周面の一部が精米タンク１の前面と後傾斜面とに接する状態で配設されている。
【０００５】
精米タンク１に玄米が投入されると、磁性を帯びやすい夾雑物が玄米中に混入していた場合には、この夾雑物が磁石１２や板状体１１に磁着し、この結果、精米機には夾雑物が取り除かれた状態で玄米が供給される。
【０００６】
【発明が解決しようとする課題】
しかしながら、上記従来の夾雑物除去装置１０によれば、精米タンク１の内壁面に沿うように流下する玄米が板状体１１の外面部分で受けられたりして、板状体１１により玄米の横方向の流れが阻害されるため、特に板状体１１と精米タンク１との接触箇所およびその近傍で玄米の流れ状態が悪化し、図５〜図７に示すように玄米Ａが良好に流れなくて残ったり、利用客が透明板２を通してみた際に玄米Ａが残っているように見えたり、流れ終わる際に残っていた玄米Ａが少量ずつ長時間にわたって流れて、レベル計４の検出データに基づく精米機３の終了判定動作が不安定になったりするおそれがあった。
【０００７】
本発明は上記課題を解決するもので、夾雑物を良好に除去できながら玄米を良好に流すことができて、終了判定動作などを安定して行うことができる精米設備の夾雑物除去装置を提供することを目的とするものである。
【０００８】
【課題を解決するための手段】
上記課題を解決するために、請求項１記載の発明は、精米機側へ供給する玄米を溜める下すぼまり形状の容器内に配設され、玄米に混入している夾雑物を除去する精米設備の夾雑物除去装置であって、金属製で大形の複数枚の板状体と、これらの板状体間に挟装された小形の磁石とが結合され、板状体には、複数の貫通孔が形成されたことを特徴とする。
【０００９】
この構成により、板状体には、複数の貫通孔が形成されているため、板状体の貫通孔を通しても玄米が流れることとなり、板状体近傍での玄米の流れが良好となる。
請求項２記載の発明は、精米機側へ供給する玄米を溜める下すぼまり形状の容器内に配設され、玄米に混入している夾雑物を除去する精米設備の夾雑物除去装置であって、両端に配置される金属製の２枚の大形板状体と、これらの大形板状体の間において所定間隔をあけて配置される金属製で１枚または複数枚の中形板状体と、これらの板状体間に挟装された小形の磁石と、これらの板状体と磁石とを結合する結合部材とを備え、大形板状体には複数の貫通孔を形成し、大形板状体、中形板状体および磁石を、これらの各厚み寸法部分が横方向に並んでこれらが略同軸心となるように連結して配置したことを特徴とする。
【００１０】
この構成により、大形板状体の間に配置される中形板状体は大形板状体よりも小さい径であるため、中形板状体は容器内壁面から離れた姿勢で設置され易くなり、中形板状体の近傍箇所での玄米の流れは良好となる。また、大形板状体には、複数の貫通孔が形成されているため、大形板状体の貫通孔を通しても玄米が流れることとなり、大形板状体の近傍箇所での玄米の流れが良好となる。
【００１１】
請求項３記載の発明は、請求項１または２に記載の精米設備の夾雑物除去装置において、板状体は円形であることを特徴とする。
【００１２】
【発明の実施の形態】
以下、本発明の実施の形態について、図面に基き説明する。なお、従来の夾雑物除去装置の構成部品とほぼ同様な機能のものには同じ符号を付し、その説明は省略する。
図１〜図３に示すように、この夾雑物除去装置２０は、金属製で円形かつ大形の２枚の大形板状体２１と、これらの大形板状体２１の間において所定間隔をあけて配置される金属製で円形かつ中形の複数枚（例えば３枚で、大形板状体２１の径の約２／３の大きさの径）の中形板状体２２と、これらの板状体２１、２２間に挟装された小形の複数個の磁石２３と、これらの板状体２１、２２と磁石２３とを略同軸心で結合する結合部材としての連結ボルト１３および連結ナット１４とから構成されている。そして、連結ボルト１３および連結ナット１４により、これらの板状体２１、２２と磁石２２との各厚み寸法部分が横方向に並び、これらが略同軸心となるように連結されて配置される。さらに、大形板状体２１には、複数の貫通孔２４が形成されている。
【００１３】
上記構成において、精米タンク１に玄米Ａが投入されると、磁性を帯びやすい夾雑物が玄米中に混入していた場合には、この夾雑物が磁石２３や板状体２１、２２に磁着し、この結果、精米機３には夾雑物が取り除かれた状態で玄米が供給される。
このようにして、玄米が精米タンク１を通る際において、大形板状体２１には、複数の貫通孔２４が形成されているため、大形板状体２１の貫通孔２４を通しても玄米Ａが流れることとなり、大形板状体２１と精米タンク１との接触箇所およびその近傍でも玄米Ａが良好に流れる。すなわち、精米タンク１の内壁面に沿うように流下する玄米Ａについては大形板状体２１の貫通孔２４を通して内側へ流れて、流れが阻害されることがなく、大形板状体２１と精米タンク１との接触箇所およびその近傍で玄米Ａが溜まることがあっても、その量は最小限に抑えられる。また、大形板状体２１の間に配置される中形板状体２２は大形板状体２１よりも小さい径であるため、中形板状体２２は精米タンク１の内壁面から離れた姿勢で設置され、中形板状体２２の近傍箇所での玄米Ａの流れも良好となる。
【００１４】
これにより、従来のように、玄米が良好に流れなくて残ったり、利用客が透明板２を通してみた際に玄米が残っているように見えたり、流れ終わる際に残っていた玄米が少量ずつ長時間にわたって流れて、レベル計４の検出データに基づく精米機３の終了判定動作が不安定になったりすることがなくなるため、前回供給した玄米Ａが次回の玄米Ａと混じったりすることがなく、また、利用客は玄米Ａが残らず供給されたことを良好に確認でき、しかも精米機３の終了判定動作を良好かつ確実に行えて信頼性が向上する。
【００１５】
また、中形板状体２２の大きさとしては、中形板状体２２の端部と精米タンク１の内壁面との間から玄米Ａが良好に通過できるように、中形板状体２２の半径が大形板状体２１の半径よりも玄米Ａの長手方向長さ以上小さくなり、磁性を帯びやすい夾雑物を逃すことがないように、中形板状体２２の直径が大形板状体２１の直径の２／３以上の大きさであることが望ましい。
【００１６】
なお、上記の実施の形態においては、大形板状体２１や中形板状体２２の形状が円形である場合を述べたが、これに限るものではなく、三角形や四角形（正方形）、またはその他の多角形であってもよいことはもちろんである。また、中形板状体２２の枚数は特に限られるものではなく、１枚や２枚でもよく、さらには中形板状体２２を用いずに複数枚の大形板状体２１間に磁石２３を挟装させて構成することも可能であるが、上記のように中形板状体２２を用いた場合のほうが流れが良好となることはいうまでもない。また、上記実施の形態では玄米を溜める下すぼまり形状の容器として精米機３の直ぐ上流側に配置される精米タンク１の場合を述べたが、これに限るものではなく、石抜き機への玄米を溜めるタンクや、その他の箇所のタンクに同様な構成を適用できることはいうまでもない。
【００１７】
【発明の効果】
以上のように本発明によれば、小形の磁石を挟装する金属製で大形の複数枚の板状体に複数の貫通孔を形成することにより、板状体の貫通孔を通しても玄米が流れて、板状体近傍での玄米の流れが良好となる。また、両端に配置される金属製の板状体よりも、これらの板状体の間に所定間隔をあけて配置される金属製の板状体を小さい径の中形板状体とすることにより、中形板状体がタンク内壁面から離れた姿勢で設置され、中形板状体の近傍箇所での玄米の流れは良好となる。
【００１８】
この結果、前回供給した玄米が次回の玄米と混じったりすることがなく、また、利用客は玄米が残らず供給されたことを良好に確認でき、しかも精米機の終了判定動作を良好かつ確実に行えて信頼性が向上する。
【図面の簡単な説明】
【図１】本発明の実施の形態にかかる夾雑物除去装置および精米タンクの側面断面図である。
【図２】同夾雑物除去装置および精米タンクの平面断面図である。
【図３】同夾雑物除去装置および精米タンクの正面断面図である。
【図４】精米機と精米タンクの概略的な背面図である。
【図５】従来の夾雑物除去装置および精米タンクの側面断面図である。
【図６】同従来の夾雑物除去装置および精米タンクの平面断面図である。
【図７】同従来の夾雑物除去装置および精米タンクの正面断面図である。
【符号の説明】
１          精米タンク
３          精米機
４          レベル計
１３        連結ボルト（結合部材）
１４        連結ナット（結合部材）
２０        夾雑物除去装置
２１        大形板状体
２２        中形板状体
２３        磁石
２４        貫通孔
【図１】
0004107779.tif 000002
【図２】
0004107779.tif 000003
【図３】
0004107779.tif 000004
【図４】
0004107779.tif 000005
【図５】
0004107779.tif 000006
【図６】
0004107779.tif 000007
【図７】
0004107779.tif 000008